【手続補正書】
【提出日】平成18年2月17日(2006.2.17)
【手続補正１】
【補正対象書類名】明細書
【補正対象項目名】発明の名称
【補正方法】変更
【補正の内容】
【発明の名称】画像表示制御システム、画像表示制御装置、及びそれらの制御方法
【手続補正２】
【補正対象書類名】明細書
【補正対象項目名】特許請求の範囲
【補正方法】変更
【補正の内容】
【特許請求の範囲】
【請求項１】
制御部と、前記制御部に接続された少なくとも１つの画像表示部とを備える画像表示制御システムであって、
前記制御部は、
前記画像表示部に映像信号及び音響信号を含む信号を送信する信号出力手段と、
前記画像表示部との間で制御情報を通信する制御部通信手段とを含み、
前記画像表示部には、
少なくとも１つのオプション機器を接続可能な機器接続手段と、
前記制御部との間で前記制御情報を通信する表示部通信手段と、
前記制御部より前記信号を受信する信号受信手段と、
前記信号にもとづく画像表示及び音響出力が可能な表示出力手段とを含み、
前記制御部は、前記オプション機器に関する情報を前記制御部通信手段を介して前記画像表示部に出力し、
前記オプション機器の接続された画像表示部は、前記表示部通信手段を介して前記制御部より前記オプション機器に関する情報を受け取って前記オプション機器を制御することを特徴とする画像表示制御システム。
【請求項２】
前記信号出力手段は、前記映像信号及び前記音響信号を時分割多重化して前記画像表示部に出力することを特徴とする請求項１記載の画像表示制御システム。
【請求項３】
前記制御情報は前記画像表示部の特性情報を含み、
前記信号出力手段は、前記特性情報にもとづいて前記画像表示部への信号通信仕様を決定することを特徴とする請求項１又は請求項２記載の画像表示制御システム。
【請求項４】
前記オプション機器に関する情報は、前記オプション機器のIDまたはスペックまたは調整データのうちの少なくとも1つを含むことを特徴とする請求項１記載の画像表示制御システム。
【請求項５】
前記画像表示部は前記接続オプション機器に出力するデータを一定量保持可能なオプション機器用に利用可能な記憶手段を備えることを特徴とする請求項１乃至請求項４のいずれかに記載の画像表示制御システム。
【請求項６】
前記オプション機器はビデオプリンタであることを特徴とする請求項１乃至請求項５のいずれかに記載の画像表示制御システム。
【請求項７】
少なくとも1つの画像表示部と接続可能な画像表示制御装置であって、
前記画像表示部に映像信号及び音響信号を含む信号を送信する信号出力手段と、
前記画像表示部との間で制御情報を通信する制御部通信手段と、
前記制御部通信手段を介して前記画像表示部の特性情報を取得する取得手段と、
前記特性情報に従って前記画像表示部に対する信号通信仕様を決定する決定手段とを備え、
前記信号出力手段は、前記信号通信仕様に従って前記信号を出力することを特徴とする画像表示制御装置。
【請求項８】
前記画像表示制御装置は、複数の画像表示部と接続可能であり、前記決定手段は、接続された各画像表示部毎に信号通信仕様を決定することを特徴とする請求項７記載の画像表示制御装置。
【請求項９】
前記画像表示制御装置は、
電源が投入された時に前記画像表示部の特性情報を取得することを特徴とする請求項７記載の画像表示制御装置。
【請求項１０】
前記取得手段は、
前記画像表示部に特性情報の送信要求を送信する特性情報要求手段と、
前記画像表示部よりの特性情報を含む接続要求を検出する検出手段と、
前記画像表示部より返送される特性情報を検出する特性情報検出手段とを含むことを特徴とする請求項９記載の画像表示制御装置。
【請求項１１】
前記特性情報要求手段は、前記制御部に電源が投入された後所定回数特性情報の送信要求を送信しても前記画像表示部より特性情報が返送されない場合には特性情報の送信要求の送信を止めることを特徴とする請求項１０記載の画像表示制御装置。
【請求項１２】
前記接続要求送信手段は、前記画像表示部に電源が投入された後所定回数接続要求を送信しても前記制御部より特性情報の送信要求が返送されない場合には前記制御部よりの特性情報の送信要求の検出を監視することを特徴とする請求項１０又は請求項１１記載の画像表示制御装置。
【請求項１３】
前記特性情報要求手段による特性情報の送信要求には、前記画像表示部のスペック情報の送信要求が含まれることを特徴とする請求項１０乃至請求項１２のいずれかに記載の画像表示制御装置。
【請求項１４】
前記特性情報要求手段による特性情報の送信要求には、前記画像表示部の調整情報の送信要求が含まれることを特徴とする請求項１０乃至請求項１３のいずれかに記載の画像表示制御装置。
【請求項１５】
前記決定手段は、前記特性情報より画像表示部の表示画面サイズを特定し、特定した表示画面サイズに対応して送信するべき映像信号量及び音響信号量を求め信号通信仕様を決定することを特徴とする請求項９至請求項１４のいずれかに記載の画像表示制御装置。
【請求項１６】
前記信号通信仕様は、映像信号を送信する垂直同期周期及び水平同期周期と映像信号送信クロック周期が含まれることを特徴とする請求項９乃至請求項１５のいずれかに記載の画像表示制御装置。
【請求項１７】
前記特性情報は、
前記画像表示部が備える表示デバイスの画素数・画素配列、
前記画像表示部が備える表示デバイスの発光特性、
前記画像表示部の階調特性（階調数、表示デバイスのガンマ特性）、
前記画像表示部の種類（画面サイズ、アスペクト比、デバイスの種類）、
前記画像表示部が備える音声再生系の仕様、
前記画像表示部の表示可能なフレーム周波数、
のうちの少なくともいずれかを含むことを特徴とする請求項７乃至請求項１６のいずれかに記載の画像表示制御装置。
【請求項１８】
制御部と、前記制御部に接続された画像表示部とを備える画像表示制御システムであって、
前記制御部は、
テレビ放送を受信するチューナーと、
前記テレビ放送の放送信号を入力として、映像信号及び音響信号を含む信号を出力する信号処理手段と、
前記画像表示部に前記信号を送信する信号出力手段と、
前記画像表示部との間で制御情報を通信する制御部通信手段と、
ビデオプリンタを接続可能な機器接続手段とを含み、
前記画像表示部には、
前記制御部との間で前記制御情報を通信する表示部通信手段と、
前記制御部より前記信号を受信する信号受信手段と、
前記信号にもとづく画像表示及び音響出力が可能な表示出力手段とを含み、
前記制御部は、前記ビデオプリンタより前記ビデオプリンタに関する情報を取得し、前記ビデオプリンタに関する情報にもとづいて、印刷データを前記ビデオプリンタに出力することを特徴とする画像表示制御システム。
【請求項１９】
前記ビデオプリンタに関する情報は、前記制御装置の電源が投入された時に取得されることを特徴とする請求項１８記載の画像表示制御システム。
【請求項２０】
前記印刷データは、前記画像表示部で表示されている画像の画像データに対応するデータであること特徴とする請求項１８記載の画像表示制御システム。
【請求項２１】
制御部と、前記制御部に接続された少なくとも１つの画像表示部とを備える画像表示制御システムの制御方法であって、
前記制御部の制御方法は、
前記画像表示部に映像信号及び音響信号を含む信号を送信する信号出力工程と、
前記画像表示部との間で制御情報を通信する制御部通信工程とを含み、
少なくとも１つのオプション機器を接続可能な機器接続手段を有する前記画像表示部の制御方法には、
前記制御部との間で前記制御情報を通信する表示部通信工程と、
前記制御部より前記信号を受信する信号受信工程と、
前記信号にもとづく画像表示及び音響出力が可能な表示出力工程とを含み、
前記制御部は、前記オプション機器に関する情報を前記制御部通信工程による処理を介して前記画像表示部に出力し、
前記オプション機器の接続された画像表示部は、前記表示部通信工程による処理を介して前記制御部より前記オプション機器に関する情報を受け取って前記オプション機器を制御することを特徴とする画像表示制御システムの制御方法。
【請求項２２】
少なくとも1つの画像表示部と接続可能な画像表示制御装置の制御方法であって、
前記画像表示部に映像信号及び音響信号を含む信号を送信する信号出力工程と、
前記画像表示部との間で制御情報を通信する制御部通信工程と、
前記制御部通信工程による処理を介して前記画像表示部の特性情報を取得する取得工程と、
前記特性情報に従って前記画像表示部に対する信号通信仕様を決定する決定工程とを備え、
前記信号出力工程では、前記信号通信仕様に従って前記信号を出力することを特徴とする画像表示制御装置の制御方法。
【請求項２３】
制御部と、前記制御部に接続された画像表示部とを備える画像表示制御システムの制御方法であって、
ビデオプリンタを接続可能な機器接続手段を有する前記制御部の制御方法は、
テレビ放送を受信する受信工程と、
前記テレビ放送の放送信号を入力として、映像信号及び音響信号を含む信号を出力する信号処理工程と、
前記画像表示部に前記信号を送信する信号出力工程と、
前記画像表示部との間で制御情報を通信する制御部通信工程とを含み、
前記画像表示部の制御方法には、
前記制御部との間で前記制御情報を通信する表示部通信工程と、
前記制御部より前記信号を受信する信号受信工程と、
前記信号にもとづく画像表示及び音響出力が可能な表示出力工程とを含み、
前記制御部は、前記ビデオプリンタより前記ビデオプリンタに関する情報を取得し、前記ビデオプリンタに関する情報にもとづいて、印刷データを前記ビデオプリンタに出力することを特徴とする画像表示制御システムの制御方法。
【請求項２４】
コンピュータに請求項２１乃至２３の何れか１項に記載の制御方法を実行させるためのプログラム。
【請求項２５】
請求項２４に記載のプログラムを格納したことを特徴とする、コンピュータ読み取り可能な記憶媒体。
【手続補正３】
【補正対象書類名】明細書
【補正対象項目名】０００９
【補正方法】変更
【補正の内容】
【０００９】
即ち、制御部と、前記制御部に接続された少なくとも１つの画像表示部とを備える画像表示制御システムであって、
前記制御部は、
前記画像表示部に映像信号及び音響信号を含む信号を送信する信号出力手段と、
前記画像表示部との間で制御情報を通信する制御部通信手段とを含み、
前記画像表示部には、
少なくとも１つのオプション機器を接続可能な機器接続手段と、
前記制御部との間で前記制御情報を通信する表示部通信手段と、
前記制御部より前記信号を受信する信号受信手段と、
前記信号にもとづく画像表示及び音響出力が可能な表示出力手段とを含み、
前記制御部は、前記オプション機器に関する情報を前記制御部通信手段を介して前記画像表示部に出力し、
前記オプション機器の接続された画像表示部は、前記表示部通信手段を介して前記制御部より前記オプション機器に関する情報を受け取って前記オプション機器を制御することを特徴とする。
【手続補正４】
【補正対象書類名】明細書
【補正対象項目名】００１０
【補正方法】変更
【補正の内容】
【００１０】
本発明は、上記目的を達成する一手段として、例えば以下の構成を備える。
即ち、少なくとも1つの画像表示部と接続可能な画像表示制御装置であって、
前記画像表示部に映像信号及び音響信号を含む信号を送信する信号出力手段と、
前記画像表示部との間で制御情報を通信する制御部通信手段と、
前記制御部通信手段を介して前記画像表示部の特性情報を取得する取得手段と、
前記特性情報に従って前記画像表示部に対する信号通信仕様を決定する決定手段とを備え、
前記信号出力手段は、前記信号通信仕様に従って前記信号を出力することを特徴とする。
【手続補正５】
【補正対象書類名】明細書
【補正対象項目名】００１１
【補正方法】変更
【補正の内容】
【００１１】
本発明は、上記目的を達成する一手段として、例えば以下の構成を備える。
即ち、制御部と、前記制御部に接続された画像表示部とを備える画像表示制御システムであって、
前記制御部は、
テレビ放送を受信するチューナーと、
前記テレビ放送の放送信号を入力として、映像信号及び音響信号を含む信号を出力する信号処理手段と、
前記画像表示部に前記信号を送信する信号出力手段と、
前記画像表示部との間で制御情報を通信する制御部通信手段と、
ビデオプリンタを接続可能な機器接続手段とを含み、
前記画像表示部には、
前記制御部との間で前記制御情報を通信する表示部通信手段と、
前記制御部より前記信号を受信する信号受信手段と、
前記信号にもとづく画像表示及び音響出力が可能な表示出力手段とを含み、
前記制御部は、前記ビデオプリンタより前記ビデオプリンタに関する情報を取得し、前記ビデオプリンタに関する情報にもとづいて、印刷データを前記ビデオプリンタに出力することを特徴とする。
【手続補正６】
【補正対象書類名】明細書
【補正対象項目名】００１２
【補正方法】変更
【補正の内容】
【００１２】
本発明は、上記目的を達成する一手段として、例えば以下の構成を備える。
即ち、制御部と、前記制御部に接続された少なくとも１つの画像表示部とを備える画像表示制御システムの制御方法であって、
前記制御部の制御方法は、
前記画像表示部に映像信号及び音響信号を含む信号を送信する信号出力工程と、
前記画像表示部との間で制御情報を通信する制御部通信工程とを含み、
少なくとも１つのオプション機器を接続可能な機器接続手段を有する前記画像表示部の制御方法には、
前記制御部との間で前記制御情報を通信する表示部通信工程と、
前記制御部より前記信号を受信する信号受信工程と、
前記信号にもとづく画像表示及び音響出力が可能な表示出力工程とを含み、
前記制御部は、前記オプション機器に関する情報を前記制御部通信工程による処理を介して前記画像表示部に出力し、
前記オプション機器の接続された画像表示部は、前記表示部通信工程による処理を介して前記制御部より前記オプション機器に関する情報を受け取って前記オプション機器を制御することを特徴とする。
【手続補正７】
【補正対象書類名】明細書
【補正対象項目名】００１３
【補正方法】変更
【補正の内容】
【００１３】
本発明は、上記目的を達成する一手段として、例えば以下の構成を備える。
即ち、少なくとも1つの画像表示部と接続可能な画像表示制御装置の制御方法であって、
前記画像表示部に映像信号及び音響信号を含む信号を送信する信号出力工程と、
前記画像表示部との間で制御情報を通信する制御部通信工程と、
前記制御部通信工程による処理を介して前記画像表示部の特性情報を取得する取得工程と、
前記特性情報に従って前記画像表示部に対する信号通信仕様を決定する決定工程とを備え、
前記信号出力工程では、前記信号通信仕様に従って前記信号を出力することを特徴とする。
【手続補正８】
【補正対象書類名】明細書
【補正対象項目名】００１４
【補正方法】変更
【補正の内容】
【００１４】
本発明は、上記目的を達成する一手段として、例えば以下の構成を備える。
即ち、制御部と、前記制御部に接続された画像表示部とを備える画像表示制御システムの制御方法であって、
ビデオプリンタを接続可能な機器接続手段を有する前記制御部の制御方法は、
テレビ放送を受信する受信工程と、
前記テレビ放送の放送信号を入力として、映像信号及び音響信号を含む信号を出力する信号処理工程と、
前記画像表示部に前記信号を送信する信号出力工程と、
前記画像表示部との間で制御情報を通信する制御部通信工程とを含み、
前記画像表示部の制御方法には、
前記制御部との間で前記制御情報を通信する表示部通信工程と、
前記制御部より前記信号を受信する信号受信工程と、
前記信号にもとづく画像表示及び音響出力が可能な表示出力工程とを含み、
前記制御部は、前記ビデオプリンタより前記ビデオプリンタに関する情報を取得し、前記ビデオプリンタに関する情報にもとづいて、印刷データを前記ビデオプリンタに出力することを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】